(57)【要約】【課題】環境影響評価用のデータ入力をユーザがより容易に行えるように支援する技術を提供する。【解決手段】環境側面、及び重み係数（評価項目の重み付け）は、相関を有するグループ（カテゴリー）に分けられている。環境側面、或いは重み係数を新規に追加登録することに伴い、入力する必要性が生じる環境側面の重み係数は、その環境側面、或いはその重み係数と同一のカテゴリーに属する環境側面、或いは重み係数に注目して算出し自動入力する。それによりユーザのデータ入力を支援する。【選択図】      図３
2005004390.tif 000002
【特許請求の範囲】
【請求項１】
環境影響評価を行ううえで必要なデータ入力を行うための装置であって、
前記データを入力するためのデータ入力手段と、
前記データ入力手段により環境側面、或いは評価項目の重み付けが新たに入力されて入力項目が追加された場合に、該追加に伴い入力の必要性が生じる環境側面における評価項目の重み付けの値を自動的に入力する入力支援手段と、
を具備することを特徴とするデータ入力装置。
【請求項２】
前記入力支援手段は、前記環境側面、或いは前記評価項目の重み付けが予めカテゴリー分けされているとき、前記追加された環境側面、或いは評価項目の重み付けと同一のカテゴリーに属する環境側面、或いは評価項目の重み付けに注目して、該追加に伴い入力の必要性が生じる環境側面における評価項目の重み付けの値を算出し自動的に入力する、
ことを特徴とする請求項１記載のデータ入力装置。
【請求項３】
環境影響評価を行ううえで必要なデータ入力を支援するための方法であって、
ユーザに、環境側面、或いは評価項目の重み付けをカテゴリーに分類させ、
該ユーザが環境側面、或いは評価項目の重み付けを新規に追加した場合に、該追加に伴い入力の必要性が生じる環境側面における評価項目の重み付けの値を、前記カテゴリーに分類された環境側面、或いは評価項目の重み付け間の相関関係に基づいて算出し、
該算出した値を前記必要性が生じる環境側面における評価項目の重み付けの値として自動入力することにより支援する、
ことを特徴とするデータ入力支援方法。
【請求項４】
環境影響評価を行ううえで必要なデータ入力を行うための装置に実行させるプログラムであって、
前記データを入力するための機能と、
前記入力するための機能により環境側面、或いは評価項目の重み付けが新たに入力されて入力項目が追加された場合に、該追加に伴い入力の必要性が生じる環境側面における評価項目の重み付けの値を自動的に入力する機能と、
を実現させるためのプログラム。
【発明の詳細な説明】
【０００１】
【発明の属する技術分野】
本発明は、環境の保全について適正な配慮の手法の一つとして実施する、環境影響評価を行うための技術に関する。
【０００２】
【従来の技術】
近年、環境関連分野への関心は非常に高まっている。環境影響評価（環境アセスメント）においては、環境影響評価法が平成１１年６月１２日に施行された。このことにより、対象となる事業者は自主的に環境影響評価を行うことが義務づけられた。対象者でない事業者や事業内容でも環境マネジメントシステムの側面から、環境影響評価が実施されている。
【０００３】
その環境影響評価の具体的な方法としては、例えば特許文献１、２に記載されたものが知られている。特許文献１に記載された第１の評価方法では、製品の環境負荷に基づいて環境影響を定量的に評価している。特許文献２に記載された第２の評価方法では、環境側面に対して評価点に展開し、その合計値により環境環境を評価している。
【０００４】
【特許文献１】
特開２００１−１１８０２４号公報
【特許文献２】
特開平１１−３１６２２９号公報
【０００５】
【発明が解決しようとする課題】
上記第１、及び第２の評価方法の何れであっても、入力項目へのデータ入力は全て行わなければならない。
【０００６】
環境影響評価では、環境側面や重み付けを新たに追加・設定することがある。その追加は、様々な理由によって行われるが、通常時は幾つかの項目に対して値も決定している。しかしながら、値を決定しかねる項目、或いはその検討もつかない項目では空欄にしてしまうことが多いのが実状である。これは、項目に入力するデータ（値）を適当なものにすると、環境影響評価の他の値との整合性を崩す可能性があるためである。
【０００７】
その環境側面や重み付けは通常、１５〜２０程度、設定される。このため、新規に追加する場合は、その程度の項目数がデータ入力の対象となる。それにより、ユーザは煩雑な作業を行わなければならなかった。これらのことから、データ入力をより容易に行えるようにすることが強く望まれていた。
【０００８】
本発明は、環境影響評価用のデータ入力をユーザがより容易に行えるように支援する技術を提供することを目的とする。
【０００９】
【課題を解決するための手段】
本発明のデータ入力装置は、環境影響評価を行ううえで必要なデータ入力を行うための装置であって、データを入力するためのデータ入力手段と、データ入力手段により環境側面、或いは評価項目の重み付けが新たに入力されて入力項目が追加された場合に、該追加に伴い入力の必要性が生じる環境側面における評価項目の重み付けの値を自動的に入力する入力支援手段と、を具備する。
【００１０】
なお、上記入力支援手段は、環境側面、或いは評価項目の重み付けが予めカテゴリー分けされているとき、追加された環境側面、或いは評価項目の重み付けと同一のカテゴリーに属する環境側面、或いは評価項目の重み付けに注目して、該追加に伴い入力の必要性が生じる環境側面における評価項目の重み付けの値を算出し自動的に入力する、ことが望ましい。
【００１１】
本発明のデータ入力支援方法は、環境影響評価を行ううえで必要なデータ入力を支援するための方法であって、ユーザに、環境側面、或いは評価項目の重み付けをカテゴリーに分類させ、該ユーザが環境側面、或いは評価項目の重み付けを新規に追加した場合に、該追加に伴い入力の必要性が生じる環境側面における評価項目の重み付けの値を、カテゴリーに分類された環境側面、或いは評価項目の重み付け間の相関関係に基づいて算出し、該算出した値をその必要性が生じる環境側面における評価項目の重み付けの値として自動入力することにより支援する。
【００１２】
本発明のプログラムは、環境影響評価を行ううえで必要なデータ入力を行うための装置に実行させることを前提とし、データを入力するための機能と、入力するための機能により環境側面、或いは評価項目の重み付けが新たに入力されて入力項目が追加された場合に、該追加に伴い入力の必要性が生じる環境側面における評価項目の重み付けの値を自動的に入力する機能と、を実現させる。
【００１３】
本発明では、ユーザが環境側面、或いは評価項目の重み付けが新たに入力されて入力項目が追加された場合に、その追加に伴い入力の必要性が生じる環境側面における評価項目の重み付けの値を自動的に入力する。その自動入力により、ユーザが入力すべきデータ数は低減する。その結果、ユーザはより容易にデータ入力を行えることとなる。
【００１４】
上記環境側面、或いは評価項目の重み付けが予めカテゴリー分けされているとき、追加された環境側面、或いは評価項目の重み付けと同一のカテゴリーに属する環境側面、或いは評価項目の重み付けに注目して、その追加に伴い入力の必要性が生じる環境側面における評価項目の重み付けの値を算出し自動的に入力した場合には、自動入力する値に、カテゴリーに属する環境側面、或いは重み付けの相関関係を反映させることが可能となる。それにより、より適切な値を自動入力する形でユーザを支援することとなる。
【００１５】
【発明の実施の形態】
以下、本発明の実施の形態について、図面を参照しながら詳細に説明する。
図１は、本実施の形態によるデータ入力装置を搭載した環境影響評価装置の機能構成を示す図である。
【００１６】
その評価装置は、例えばコンピュータにより実現されたものであり、図１に示すように、例えば液晶表示器である表示部１０１と、例えばキーボードやマウス等のポインティングデバイス、及びそれらのインターフェースからなる入力部１０２と、例えばＲＯＭやＲＡＭ、及びハードディスク装置等の補助記憶装置からなる記憶部１０３と、その記憶部１０３に格納されたデータを用いて環境影響評価を実施する評価実施部１０４と、入力部１０２を操作してのデータ入力を実現させる編集制御部１０５と、通信ネットワークを介して外部装置との間でデータの送受信を行う通信制御部１０６と、を備えて構成されている。
【００１７】
本実施の形態によるデータ入力装置は、例えば表示部１０１、入力部１０２、記憶部１０３、及び編集制御部１０５から構成されている。編集制御部１０５は、例えば記憶部１０３に格納されたプログラムを実行するＣＰＵによって実現される。これは評価実施部１０４も同様である。以降、図２〜図８に示す説明図を随時、参照しつつ、そのデータ入力装置が行うデータ入力支援について詳細に説明する。
【００１８】
環境影響評価は、環境側面から著しい環境側面を導き出すプロセスの定量化と判断基準の提供である。
図２は、上記定量化のための仕組みを説明する図である。ここでは、その定量化によって導き出された値を環境評価に対する「評価点」と呼ぶことにする。
【００１９】
本実施の形態では、環境側面を分野毎にまとめ、状況に応じた状態を複数、設定している。図２中の「区分」は、環境側面をまとめた分野を示している。状態については、「定常時」「事故時」及び「緊急時」を設定している。それにより、１つの環境側面毎に、「定常時」「事故時」及び「緊急時」の各状態で評価点を求める。
【００２０】
各状態に対して定量化のための諸量を定めている。その諸量は大別して、（１）環境側面に対する評価項目の重み点（重み付け）、（２）環境側面を左右する人的・状況的要素点（図２中では「可能性係数」が対応）、（３）環境側面が環境に影響を及ぼす量や環境側面間における相対係数（図２中では「評価状況情報」が対応）、（４）環境影響の発生の対策などによる重み点の相殺点（図２中では「打消点」が対応）、からなる。また、定量化するのが困難な定性的な特徴を「備考」として設けている。以降、評価項目の重み点は「重み点」或いは「重み係数」と表記する。
【００２１】
可能性係数としては、管理係数、教育係数、熟練係数、事故係数、緊急係数が定められている。それらのなかで前の３つは、組織を構成する構成員が経験を積み学習することで値が変化する。このことから、人的・状況的要素点を表している。
【００２２】
評価点は、
評価点＝負荷量×負荷係数×（重み点合計−打消点）×（管理係数×教育係数×熟練係数×事故係数×緊急係数）            ・・・（１）
により求める。ここで重み点合計とは、項目Ａ、Ｂ、・・・の各重み点の総和である。その（１）式を用いて、評価実施部１０４は１つの環境側面毎に「定常時」「事故時」及び「緊急時」の各状態の計３つの評価点を求める。
【００２３】
この評価点は他の環境側面でも算出する。算出した評価点の大小より「著しい環境側面」を決定する。評価点の値が大きいほど環境負荷が大きいとみなされるので、その値が大きいものは著しい環境側面となる。
【００２４】
図３は、環境影響評価における環境側面と重み点の構成を説明する図である。
図３に示す環境影響評価では、環境側面として、環境側面Ａ〜Ｄの４つが設定され、重み係数として、重み係数甲〜丁の４つが設定されている。それら環境側面Ａ〜Ｄ、及び重み係数甲〜丁は、環境影響評価を行ううえでの手順の一つである重み付けルーチンの実施時に、相関性（関連性）の有無やその大きさを考慮してグルーピング（カテゴリー分け）される。ここでは、環境側面Ａ、Ｂ、及びＤはグループ３０１に、環境側面Ｂ、Ｄ、及びＣはグループ３０２にそれぞれ分類することで、同一のグループに属する環境側面には相関（相関関係）があることを示している。環境側面Ｂ、及びＤは、相関のない環境側面Ａ、及び環境側面Ｃの何れとも相関があることを示している。
【００２５】
他方の重み係数では、重み係数甲、乙、及び丙はグループ３０３に、重み係数乙、丙、及び丁はグループ３０４にそれぞれ分類することで、同一のグループに属する重み係数には相関があることを示している。重み係数乙、及び丙は、相関のない重み係数甲、及び重み係数丁の何れとも相関があることを示している。
【００２６】
上記環境側面は、設定された重み係数と対応付けられる。その重み係数は、各環境側面毎に値が設定される。
上述したようなグルーピング（カテゴリー分け）は、基本的に共通性に着目して行えば良い。環境側面や重み係数がそれぞれｍ個、ｎ個ある場合、カテゴリーに属する要素の数が少なくなるのを回避するために、カテゴリー（グループ）数はｍ／２個、ｎ／２個以下の複数個にすることが好ましい。また、図３に示すように、或るカテゴリーに属する要素が他のカテゴリーにも含まれるのは許容し、１つのカテゴリーには複数の要素が存在するのが望ましい。なお、特には詳細な説明は省略するが、グルーピングは、編集制御部１０５に搭載された専用の機能を起動させることで行われる。
【００２７】
次に、図３に網掛けして示す環境側面Ｄ、及び重み係数丁を新規に追加した場合の構成の変化について図４、及び図５を参照して具体的に説明する。
図４（ａ）は、環境側面Ｄ、及び重み係数丁を新規に追加（登録）する前の構成を示している。その構成から環境側面Ｄを新規に登録すると、図４（ｂ）に示す構成となり、重み係数甲〜丙にそれぞれ環境側面Ｄ用の値が設定されることになる。
【００２８】
図４（ａ）に示す構成から重み係数丁を新規に登録すると、図４（ｃ）に示す構成となり、重み係数丁には環境側面Ａ〜Ｃ用の値が設定されることになる。
図４（ａ）に示す構成から環境側面Ｄ、及び重み係数丁を新規に登録すると、図４（ｄ）に示す構成となる。それにより、重み係数甲〜丙にはそれぞれ環境側面Ｄ用の値が設定され、重み係数丁には環境側面Ａ〜Ｄ用の値が設定されることになる。
【００２９】
上記構成の更新は、編集制御部１０５の制御によって行われる。その制御部１０５は、図４（ａ）に示す構成時には図５（ａ）に示す内容を記憶部１０３に保持させる。同様に、図４（ｂ）に示す構成時には図５（ｂ）に示す内容、図４（ｃ）に示す構成時には図５（ｃ）に示す内容、図４（ｄ）に示す構成時には図５（ｄ）に示す内容を記憶部１０３にそれぞれ保持させる。
【００３０】
図５（ｂ）〜（ｄ）で網掛けして示す欄はデータ入力の対象である。編集制御部１０５は、環境側面、或いは重み係数をユーザが新規に入力項目として登録すると、その登録した項目に応じて、例えば図５（ｂ）、（ｃ）、或いは（ｄ）に示すような画像を表示部１０１に表示させ、重み係数の入力を行わせる。本実施の形態では、そのようにして入力の必要性が生じた重み係数の入力を以下のようにして支援する。図６〜図８を参照して具体的に説明する。その必要性が生じる前の構成は図５（ａ）に示すものとする。
【００３１】
図６は、環境側面が新規に追加された場合の入力支援方法を説明する図である。始めに図６を参照して、その場合の支援方法について詳細に説明する。
図６（ａ）は環境側面が新規に追加される前の構成を示す。その構成から環境側面Ｄが新規に追加されると、図６（ｂ）に示す構成に移行する。その構成で重み係数乙の値として「２」を入力すると図６（ｃ１）に示す構成に移行し、重み係数甲の値として「９」を入力すると図６（ｃ２）に示す構成に移行する。
【００３２】
本実施の形態では、図６（ｃ１）、及び（ｃ２）の状態から空欄の値を決定（算出）する方法として以下の２つを用意している。
一つ目の方法は、属するグループ（関連するカテゴリー）の値を参考にして比例配分により求める方法（以下、「比例配分方法」と呼ぶ）で、二つ目の方法は空欄は無効値として「０」を与える方法（以下、「固定値配分方法」と呼ぶ）である。ここでは、前者について説明する。
【００３３】
新規に登録された環境側面Ｄは、図３に示すように、グループ３０１、及び３０２の何れにも属している。重み係数乙は、グループ３０３、及び３０４の何れにも属している。そのグループ３０３には、重み係数乙の他に、重み係数甲、及び丙が属し、それら重み係数の間には相関が存在する。これらのことから、環境側面Ｄに設定された重み係数乙の値と既に設定されている環境側面Ａ〜Ｃの各重み係数乙の値の関係、及び、入力の対象となる環境側面Ｄの重み係数甲の値と既に設定された環境側面Ａ〜Ｃの各重み係数甲の値の関係、には何れも相関が存在する。そこで、環境側面Ｄの重み係数甲は次式で求める。
【００３４】
2005004390.tif 000003
ここでは、分かりやすいように整数値にしているが、分数（２６／３）のままでも小数（８．６７）でも良い。
【００３５】
同様に、環境側面Ｄの重み係数丙は次式で求める。
2005004390.tif 000004
ここでも分かりやすいように整数値にしているが、分数（２０／３）のままでも小数（６．６７）でも良い。
【００３６】
このようにして環境側面Ｄの重み係数甲、及び丙の値を算出し自動的に入力した後の状態が図６（ｄ１）に示すものである。後者の固定値配分方法を用いてそれら重み係数甲、及び丙の値を０とした後の状態が図６（ｄ２）に示すものである。一方、環境側面Ｄの重み係数甲が入力された場合に前者の比例配分方法を用いて重み係数乙、及び丙の値を算出し自動的に入力した後の状態が図６（ｄ３）に示すものである。後者の固定値配分方法を用いてそれら重み係数甲、及び丙の値を０とした後の状態が図６（ｄ４）に示すものである。
【００３７】
図７は、重み係数が新規に追加された場合の入力支援方法を説明する図である。次に図７を参照して、その場合の支援方法について詳細に説明する。
図７（ａ）は図６（ａ）と同じく重み係数が新規に追加される前の構成を示す。その構成から重み係数丁が新規に追加されると、図７（ｂ）に示す構成に移行する。その構成で環境側面Ｂ用の値として「５」を入力すると図７（ｃ１）に示す構成に移行し、環境側面Ａ用の値として「９」を入力すると図７（ｃ２）に示す構成に移行する。
【００３８】
図７（ｃ１）、及び（ｃ２）の状態から空欄の値を決定（算出）する方法として、上述した２つを用意している。
新規に登録された重み係数丁は、図３に示すように、グループ３０４に属している。そのグループ３０４には、重み係数丁の他に、重み係数乙、及び丙が属している。環境側面Ａ、及びＢはグループ３０１、環境側面Ｂ、及びＣはグループ３０２にそれぞれ属している。これらのことから、環境側面Ｄ用に新規に設定された重み係数丁の値と既に設定されている環境側面Ｂの重み係数甲、乙、及び丙の値の関係、及び、入力の対象となる環境側面Ａの重み係数丁の値と既に設定された環境側面Ａの重み係数甲、乙、及び丙の値の関係、には何れも相関が存在する。そこで、環境側面Ａの重み係数丁は次式で求める。
【００３９】
2005004390.tif 000005
ここでは、分かりやすいように整数値にしているが、分数（６５／７）のままでも小数（９．２９）でも良い。
【００４０】
同様に、環境側面Ｃの重み係数丁は次式で求める。
2005004390.tif 000006
ここでも分かりやすいように整数値にしているが、分数（３０／７）のままでも小数（４．２９）でも良い。
【００４１】
このようにして環境側面Ａ、及びＣ用の重み係数丁の値を算出し自動的に入力した後の状態が図７（ｄ１）に示すものである。後者の固定値配分方法を用いてそれら重み係数丁の値を０とした後の状態が図７（ｄ２）に示すものである。一方、環境側面Ａ用の重み係数丁の値が入力された場合に前者の比例配分方法を用いて環境側面Ｂ、及びＣ用の重み係数丁の値を算出し自動的に入力した後の状態が図７（ｄ３）に示すものである。後者の固定値配分方法を用いてそれら重み係数丁の値を０とした後の状態が図７（ｄ４）に示すものである。
【００４２】
図８は、環境側面、及び重み係数が新規に追加された場合の入力支援方法を説明する図である。最後に図８を参照して、その場合の支援方法について詳細に説明する。
【００４３】
図８（ａ）は図６（ａ）と同じく重み係数が新規に追加される前の構成を示す。その構成から環境側面Ｄ、及び重み係数丁が新規に追加されると、図８（ｂ）に示す構成に移行する。その構成で環境側面Ｂ用の重み係数丁の値として「５」、環境側面Ｄ用の重み係数乙の値として「２」をそれぞれ入力すると図８（ｃ）に示す構成に移行する。
【００４４】
図８に示す状態から空欄の値を決定する方法は、図６、及び図７を参照して説明したものと基本的に同じである。順序としては、図８（ｄ１）、及び（ｄ２）に示すように、先ず、新規に登録された重み係数丁は無視する形で環境側面Ｄ用の重み係数甲、及び丙の値を算出して設定するか（図８（ｄ１）の状態が対応）、或いは固定値である「０」を設定する（図８（ｄ２）の状態が対応）。その後、環境側面Ａ、Ｃ、及びＤ用の重み係数丁の値を算出して設定するか（図８（ｅ１）、或いは（ｅ３）の状態が対応）、或いは固定値である「０」を設定する（図８（ｅ２）、或いは（ｅ４）の状態が対応）。
【００４５】
上述したようにして、環境側面、或いは重み係数の新規の追加（登録）により重み係数を入力する必要性が生じると、入力の対象とする重み係数の値を算出し自動的に入力（設定）する。このため、ユーザはその入力を容易に行えるようになる。
【００４６】
自動的に入力する値は、入力の対象とする重み係数の属するグループ、或いはその重み係数を入力する対象となる環境側面の属するグループを構成する要素の間の相関に着目して算出する。それにより、相関を反映させた値を自動的に入力することになる。このため、より適切な値を自動入力する形となって環境影響評価における整合性は維持される。その結果、より少ない作業で適切な環境影響評価を実施できることとなる。
【００４７】
図１の編集制御部１０５は、ユーザが入力部１０２を操作して環境側面、或いは重み係数を新規に項目として追加（登録）すると、新規に追加された項目、及びその後のデータ入力に応じて、例えば図６〜図８に示すような順序で画像を順次、表示部１０１に表示させる。それにより、ユーザが行うデータ入力を支援する。
【００４８】
なお、自動入力される値の算出方法には上記２つの方法が存在するが、それらのうちで実際に用いられる方法はユーザに予め選択させても良いが、随時、選択させるようにしても良い。また、それ以外の算出方法を採用しても良い。例えば算出方法の外に、同じグループに属する要素のなかで着目する要素、或いはその数によっても算出される値は変動する。このことから、その平均値を求めても良く、傾斜配分しても良い。入力する値として考慮する範囲（値域）を提示して、そのなかで所望する値をユーザに選択させるようにしても良い。
【００４９】
上記傾斜配分は、例えば図８に示す例では、比例配分方法と固定値配分方法を採用する比率を８：２とすると、図８（ｃ）から図８（ｄ１）、（ｄ２）に移行する比率は８：２で、図８（ｄ１）から図８（ｅ１）、（ｅ２）に移行する比率も８：２になることから、結果的に図８（ｅ１）〜（ｅ４）に移行する比率は１６：４：４：１になる。このことから、実際の値は、図８（ｅ１）〜（ｅ４）で算出される値をその比率で重み付けして算出すれば良い。具体的には、図８（ｅ１）での値には１６を掛け、同様に、図８（ｅ２）での値には４、図８（ｅ３）での値には４を掛け、図８（ｅ４）での値には１をそれぞれ掛け、それらの合計値を２５（＝１６＋４＋４＋１）で割って算出すれば良い。
【００５０】
上述したようなデータ入力装置、或いはその変形例を実現させるようなプログラムは、ＣＤ−ＲＯＭ、ＤＶＤ、或いは光磁気ディスク等の記録媒体に記録させて配布しても良い。或いは、公衆網等で用いられる伝送媒体を介して、そのプログラムの一部、若しくは全部を配信するようにしても良い。そのようにした場合には、ユーザーはプログラムを取得してコンピュータなどのデータ処理装置にロードすることにより、そのデータ処理装置を用いて本発明を適用させたデータ入力装置を実現させることができる。このことから、記録媒体は、プログラムを配信する装置がアクセスできるものであっても良い。
【００５１】
【発明の効果】
以上、説明したように本発明は、ユーザが環境側面、或いは評価項目の重み付けが新たに入力されて入力項目が追加された場合に、その追加に伴い入力の必要性が生じる環境側面における評価項目の重み付けの値を自動的に入力する。その自動入力により、ユーザは入力すべきデータ数は低減する。このため、ユーザはより容易にデータ入力を行うことができるようになる。
【００５２】
上記環境側面、或いは評価項目の重み付けが予めカテゴリー分けされているとき、追加された環境側面、或いは評価項目の重み付けと同一のカテゴリーに属する環境側面、或いは評価項目の重み付けに注目して、その追加に伴い入力の必要性が生じる環境側面における評価項目の重み付けの値を算出し自動的に入力した場合には、自動入力する値に、カテゴリーに属する環境側面、或いは重み付けの相関関係を反映させることができる。そのため、より適切な値を自動入力する形でユーザを支援することができる。
【図面の簡単な説明】
【図１】本実施の形態によるデータ入力装置を搭載した環境影響評価装置の機能構成を示す図である。
【図２】環境影響評価における定量化のための仕組みを説明する図である。
【図３】環境影響評価における環境側面と重み点の構成を説明する図である。
【図４】環境側面Ｄ、及び重み係数丁を新規に追加した場合の図３に示す構成の変化を説明する図である。
【図５】環境側面Ｄ、及び重み係数丁を新規に追加した場合の図３に示す構成の変化に対応する設定内容の変化を説明する図である。
【図６】環境側面が新規に追加された場合の入力支援方法を説明する図である
【図７】重み係数が新規に追加された場合の入力支援方法を説明する図である。
【図８】環境側面、及び重み係数が新規に追加された場合の入力支援方法を説明する図である。
【符号の説明】
１０１    表示部
１０２    入力部
１０３    記憶部
１０４    評価実施部
１０５    編集制御部
【図１】
2005004390.tif 000007
【図２】
2005004390.tif 000008
【図３】
2005004390.tif 000009
【図４】
2005004390.tif 000010
【図５】
2005004390.tif 000011
【図６】
2005004390.tif 000012
【図７】
2005004390.tif 000013
【図８】
2005004390.tif 000014